(57)【要約】【課題】本発明は、陳列室における冷却性能の向上と、陳列室に収納する商品の展示性の向上とを両立させたオープンショーケースを提供する。【解決手段】ショーケース本体１内を仕切り板１０により縦割りで前後２室に区画して第１の陳列室１Ｒと第２の陳列室２Ｒを備え、仕切り板を挟んで各陳列室に第１のダクト部１１と第２のダクト部１２を設け、各ダクト部の上端部と連通し各陳列室の上端部に設けられるエアカーテン用吹出し口２４から冷気を下方へ吹出し案内する上部通風路２１を設け、各ダクト部の下端部と連通し各陳列室の下端部付近に設けられる冷気吸込み口２８から冷気を吸込み案内する底部通風路２５を設け、各底部通風路内に冷凍サイクルＳを構成する蒸発器３０を配置するとともに、この蒸発器を介して各ダクト部へ送風する冷気送風機３１を配置し、仕切り板と各ダクト部を透明部材から構成した。【選択図】    図１
2010063812.tif 000002
【特許請求の範囲】
【請求項１】
仕切り板により、縦割りで前後２室に区画される第１の陳列室と第２の陳列室を備えたショーケース本体と、
前記ショーケース本体内における前記仕切り板を挟んで、前記第１の陳列室と第２の陳列室それぞれに設けられるダクト部と、
前記各ダクト部の上端部と連通して設けられ、前記第１の陳列室と第２の陳列室それぞれの上端部から下方へ冷気を吹出し案内する上部通風路と、
前記各ダクト部の下端部と連通して設けられ、前記第１の陳列室と第２の陳列室の下端部付近から冷気を吸込み案内する底部通風路と、
前記それぞれの底部通風路内に配置される、冷凍サイクルを構成する蒸発器および、この蒸発器を介して前記ダクト部へ送風する送風機とを具備し、
前記仕切り板および前記各ダクト部は、透明部材から構成される
ことを特徴とするオープンショーケース。
【請求項２】
前記仕切り板は、断熱性を有することを特徴とする請求項１記載のオープンショーケース。
【請求項３】
前記第１の陳列室と第２の陳列室それぞれに設けられる複数段の陳列棚と、
これら陳列棚端縁と間隙を存し前記ショーケース本体の周面に沿って設けられる透明部材からなる整流板と、
を備えたことを特徴とする請求項１および請求項２のいずれかに記載のオープンショーケース。
【発明の詳細な説明】
【技術分野】
【０００１】
本発明は、展示性の改良を図ったオープンショーケースに関する。
【背景技術】
【０００２】
たとえば、［特許文献１］には、前面側にペアガラスからなる観音開き式の扉が取付けられたショーケースが開示されている。このショーケース内は、左右幅方向の中央部に鉛直方向に設けられる区画壁により、区画壁の左右両側に商品を収納し展示する２つの陳列室を備えている。
【０００３】
前記区画壁は吹出しダクトを兼用していて、一方の陳列室の底板下部に設けられる冷却室で生成された冷気を導き、各陳列室の側面部から室内へ吹出し案内するようになっている。前記観音開きの扉で陳列室の前面側を開閉自在としているので、陳列室内の商品の取出しは、陳列室の前面側のみとなる。
【特許文献１】特開２００８−５９６８号公報
【発明の開示】
【発明が解決しようとする課題】
【０００４】
このように、一般的なショーケースにおいて購買者が陳列室内の商品を確認できるのは前面側のみであり、背面側からは全く見えず、側方からはほとんど見えないので、展示性が悪い。特に、［特許文献１］のような縦方向が短く横長状のショーケースでは、前面側であっても、購買者の目線の高さ位置から外れると、内部が見難くなる。
【０００５】
また、ショーケースを店舗内に配置するにあたって、ショーケースを壁に押付けて配置したり、２台のショーケースを背中合わせにした状態で、これらを横一列に複数台並べたり、２台のショーケースを背中合わせにしたうえに、これらの左右両側に別のショーケースを外側に向けて配置するなど、配置状態を工夫しなければならない。
【０００６】
近時は、このような制約を解消すべく、前面以外の面にも開閉扉を備えたショーケースの開発がなされ、商品の取出し性の改良が図られている。しかしながら、このようなタイプのショーケースでは、複数の開閉扉が同時に開閉されることもあり、冷却性能に係る負荷が大きくなってしまう不具合がある。
【０００７】
本発明は上記事情にもとづきなされたものであり、その目的とするところは、冷気の循環系路を改良するとともに、構成部材を選択することにより、陳列室における冷却性能の向上と、陳列室に収納する商品の展示性の向上とを両立させたオープンショーケースを提供しようとするものである。
【課題を解決するための手段】
【０００８】
上記目的を満足するため本発明は、ショーケース本体内を仕切り板により縦割りで前後２室に区画した第１の陳列室と第２の陳列室を備え、仕切り板を挟んで各陳列室にダクト部を設け、各ダクト部の上端部と連通し各陳列室の上端部から冷気を下方へ吹出し案内する上部通風路を設け、各ダクト部の下端部と連通し各陳列室の下端部付近から冷気を吸込み案内する底部通風路を設け、各底部通風路内に冷凍サイクルを構成する蒸発器と、この蒸発器を介してダクト部へ送風する送風機を配置し、仕切り板と各ダクト部を透明部材から構成した。
【発明の効果】
【０００９】
本発明によれば、陳列室に収納する商品に対する冷却効果の向上および、商品の展示性の向上とを両立させる効果を得られる。
【発明を実施するための最良の形態】
【００１０】
以下、本発明の実施の形態を、図面にもとづいて説明する。  
図１は四面形オープンタイプのオープンショーケースの外観斜視図、図２（Ａ）ないし（Ｄ）はオープンショーケースの各面における正面図、図３はオープンショーケースの横断平面図、図４はブラケットの外観斜視図、図５はオープンショーケースの概略の縦断面図である。
【００１１】
オープンショーケースを構成するショーケース本体１は、上部に陳列室Ｒを形成する一方、下部に機械室Ｍを形成し、平面視は略正方形状をなし、正面視で四面を有する。ここでは、図２（Ａ）に示す面を「第１面ａ」、図２（Ｂ）に示す面を「第２面ｂ」、図２（Ｃ）に示す面を「第３面ｃ」、図２（Ｄ）に示す面を「第４面ｄ」と呼ぶ。
【００１２】
ショーケース本体１のたとえば前後面をなす第１面ａと第３面ｃの平面視は、わずかに湾曲状に曲成される一方で、左右側面をなす第２面ｂと第４面ｄの平面視は直状に形成される。
【００１３】
ショーケース本体１の底板２の各隅角部上に支柱４が設立され、この支柱４上端に天板３が固定される。第１面ａ〜第４面ｄとも、高さ方向の略中央部からある程度下がったところから底板２に亘って下部板体６が貼られ、機械室Ｍの内部が遮蔽されている。
【００１４】
第２面ｂと第４面ｄの下部板体６のほとんど全面と、第３面ｃの下部板体６の一部に、多数の小孔からなる通気孔７が設けられていて、外部と機械室Ｍとが連通状態にある。また、天板３は合成樹脂材の外板内面に断熱材が取付けられる。
【００１５】
図１ないし図３に示すように、第１面ａ〜第４面ｄに至る前記下部板体６から上方部位で、かつ天板３に亘って、各支柱４を覆うように、曲成された横断面を有する板体からなる支柱カバー５が設けられる。
【００１６】
第２面ｂと第４面ｄにおける、下部板体６と左右両側の支柱カバー５および天板３で囲まれる部位に透明板８が取付けられる。したがって、第２面ｂと第４面ｄは前記透明板８により閉成される。第１面ａと第３面ｃにおける、下部板体６と左右両側の支柱カバー５および天板３で囲まれる部位は開口されていて、後述する整流板９が設けられる。
【００１７】
前記第２面ｂと第４面ｄにおける左右方向の中央部で、かつこの底部から上端である天板３に亘って仕切り板１０が設けられる。すなわち、前記仕切り板１０はショーケース本体１内部における下部板体６上端に設けられる底板と天板３との間の空間スペースを、縦割りで前後２室に区画している。
【００１８】
前記仕切り板１０は、透明（透視可能）な二重ガラス板（いわゆる、複層ガラス）が用いられていて、ショーケース本体１の一方側から仕切り板１０を介して他方側が見えるとともに、断熱性を兼ね備えている。
【００１９】
このように、ショーケース本体１における下部板体６上の開放された内部（陳列室Ｒ）は、仕切り板１０によって、第１面ａおよび、第２面ｂと第４面ｄの半分部分で囲まれる空間スペースと、第３面ｃおよび、第２面ｂと第４面ｄの半分部分で囲まれる空間スペースの２室に仕切られる。前者を「第１の陳列室１Ｒ」と呼び、後者を「第２の陳列室２Ｒ」と呼ぶ。
【００２０】
さらに、前記第１の陳列室１Ｒにおける仕切り板１０全面を第１のダクト部１１が覆い、前記第２の陳列室２Ｒにおける仕切り板１０全面を第２のダクト部１２が覆っている。これら第１、第２のダクト部１１，１２を構成する板体は、たとえば合成樹脂材の薄板から形成されていて、しかも透明性を備えている。
【００２１】
なお説明すると、前記第１のダクト部１１と第２のダクト部１２は、仕切り板１０の前面とは所定間隔を存して設けられ、左右側部は仕切り板１０の両側部に密着するよう折曲される透明部材からなる板状部材によって形成される。第１のダクト部１１と第２のダクト部１２を構成する板状部材の内部に冷気の通路が形成される。
【００２２】
仕切り板１０と第１、第２のダクト部１１，１２が透明部材からなるので、第１面ａの真正面側および第２面ｂと第４面ｄの斜め方向からショーケース本体１内部を見ると、第１の陳列室１Ｒ内部が見えるばかりでなく、第１のダクト部１１と、仕切り板１０および第２のダクト部１２を介して第２の陳列室２Ｒ内部が見える。
【００２３】
同様に、第３面ｃの真正面側および第２面ｂと第４面ｄの斜め方向からショーケース本体１内部を見ると、第２の陳列室２Ｒ内部が見えるばかりでなく、第２のダクト部１２と、仕切り板１０および第１のダクト部１１を介して第１の陳列室１Ｒ内部が見える。
【００２４】
また、第２面ｂの真正面側と第４面ｄの真正面側からショーケース本体１内を見ると、透明板８を介して、仕切り板１０および第１のダクト部１１と第２のダクト部１２のそれぞれ側端部と、第１の陳列室１Ｒおよび第２の陳列室２Ｒとの両側部が見える。
【００２５】
正確には、仕切り板１０と第１のダクト部１１と第２のダクト部１２における左右幅方向の端縁間寸法が第２面ｂと第４面ｄとの相互間隔寸法よりも短く形成される仕切り板１０および第１、第２のダクト部１１，１２の左右両側部に形成される隙間部分に、それぞれ上下方向に沿い所定間隔を存して掛止用孔を備えた棚支柱部１４が取付けられる。
【００２６】
前記棚支柱部１４における同一高さ位置の掛止用孔に、後述するブラケット１５の一端部が掛止される。そして、第１の陳列室１Ｒと、第２の陳列室２Ｒにおける左右のブラケット１５上に陳列棚１７が載置される。
【００２７】
すなわち、各陳列棚１７は、この左右両側部が左右の支柱部１４に掛止されるブラケット１５上に支持され、陳列棚１７の前後方向の一端部は第１のダクト部１１もしくは第２のダクト部１２の板面に密接する。
【００２８】
各陳列棚１７の前後方向の他端部はブラケット１５の先端部と同一位置にあり、支柱カバー５の第２面ｂもしくは第４面ｄ側の端縁と同一位置にある。各陳列棚１７の前後方向の他端部は第１面ａと間隙を存し、もしくは第３面ｃと間隙を存している。
【００２９】
各陳列棚１７の前後方向の端部と対向して、上記整流板９が設けられる。この整流板９は透明部材からなり、第１面ａと第３面ｃそれぞれの左右両側部に設けられる前記支柱カバー５間に亘って架設される。整流板９は、各陳列棚１７の前後方向の端部に取付ける構成としてもよい。
【００３０】
前記整流板９は、上記天板３における第１面ａと第３面ｃの平面視における曲面形状と同様の曲面形状をなしている。各整流板９は、上述した状態で支持される各陳列棚１７の端部とは間隙を存し、陳列棚１７の上段から下段に向けてその間隙が大きくなるように設けられている。
【００３１】
図３に示すように、ショーケース本体１を横断面にした図では、角部を構成する前記支柱４の内面に沿って照明灯（蛍光灯）１８が取付けられる。各照明灯１８は、第１の陳列室１Ｒと第２の陳列室２Ｒの前面で、かつ左右両側から、各陳列室１Ｒ，２Ｒ内を照明する。
【００３２】
上記ブラケット１５は、以下に述べるように構成される。  
図４はブラケット１５の斜視図である。  
上記ブラケット１５は、金属薄板をプレス加工により成形した板金部材からなり、側面視で逆Ｕ字状の断面形状をなし、角部は曲面（Ｒ状）に形成される。上面の平面部に対して、両側面部は長手方向の一端部から他端部に亘り、縦寸法が漸次短くなるよう傾斜する。
【００３３】
ブラケット１５の長手方向の一端部には引掛け爪Ｋが設けられていて、前記棚支柱部１４の掛止孔に引掛けることで、ブラケット１３の一端部が棚支柱部１４に支持される。ブラケット１５の他端部は、上記支柱４に密着させて強度的な補助をなすように構成してもよい。
【００３４】
つぎに、ショーケース本体１の内部構造について説明する。  
図５に示すように、第１の陳列室１Ｒに設けられる第１のダクト部１１と、第２の陳列室２Ｒに設けられる第２のダクト部１２は、それぞれの上端部と下端部が開口されている。そして、各ダクト部１１，１２の陳列棚１７相互間に対向する部位には、多数の小孔からなる陳列室用吹出し口２０が設けられる。
【００３５】
各ダクト部１１，１２の上端部は天板３と所定間隔を存して設けられ、これらダクト部１１，１２の上端開口部と連通する上部通風路２１が設けられる。上部通風路２１は、天板３と、この天板３の周端縁に沿い下方へ突設される突片部２２と、天板３と間隙を存し、天板３と並行に設けられるダクト用板２３とから構成される。
【００３６】
上部通風路２１を構成する天板３部分と、突片部２２およびダクト用板２３のいずれも、断熱材からなる。特に図示していないが、第２面ｂと第４面ｄにおいては、突片部２２内面とダクト用板２３端面とが密接状態にあり、隙間が存在しない。
【００３７】
これに対して第１面ａと第３面ｃにおいては、突片部２２内面とダクト用板２３端面とは間隙を存して形成されていて、この間隙はエアカーテン用吹出し口２４となる。前記エアカーテン用吹出し口２４には図示しない略ハニカム状桟からなるガード部材が嵌め込まれ、強度の保持と異物の侵入を阻止する。
【００３８】
すなわち、上部通風路２１は、一端開口部が第１、第２のダクト部１１，１２の上端開口部と連通し、他端開口部が前記エアカーテン用吹出し口２４である。特にエアカーテン用吹出し口２４は、陳列棚１７の前後方向の端部と整流板９との間の隙間に対向して設けられている。
【００３９】
第１の陳列室１Ｒにおける底部には第１のダクト部１１の下端開口部と連通する底部通風路２５が設けられ、第２の陳列室２Ｒにおける底部には第２のダクト部１２の下端開口部と連通する底部通風路２５が設けられる。
【００４０】
前記各底部通風路２５は、各ダクト部１１，１２の下端周面に嵌め込まれ、各陳列室１Ｒ，２Ｒの底部を形成する陳列室底板２６と、この陳列室底板２６の下部に凹陥状に形成される基板部２７との間に形成されていて、陳列室底板２６と基板部２７ともに断熱材からなる。
【００４１】
前記底部通風路２５の一端部は開口されていて、上記第１、第２のダクト部１１，１２の下端開口部と連通する。底部通風路２５の他端部は上記エアカーテン用吹出し口２４と互いに対向する位置に設けられる冷気吸込み口２８である。
【００４２】
特に図３に示すように、前記冷気吸込み口２８には、略ハニカム状に組まれた桟からなるガード部材が嵌め込まれて、強度の保持と異物の侵入を阻止する。前記基板部２７は凹陥状に形成さていて、この凹陥部に冷凍サイクル構成部品である蒸発器３０が配置され、さらに蒸発器３０に対して送風する冷気送風機３１が配置される。
【００４３】
一方、前記底部通風路２５の下部側である、下部板体６で囲まれるショーケース本体１内部に機械室Ｍが形成される。この機械室Ｍには圧縮機３３、凝縮器３４、膨張弁３５、アキュームレータ３６が収容される。さらに、前記凝縮器３４と対向して外気送風機３７が配置されている。
【００４４】
前記圧縮機３３の上端部には冷媒管Ｐが接続されていて、この冷媒管Ｐは前記凝縮器３４に接続され、さらに凝縮器３４から膨張弁３５に接続される。前記膨張弁３５から出たところで冷媒管Ｐは２方向に分岐され、一方の分岐冷媒管Ｐは第１の陳列室１Ｒの底部通風路２５に配置する蒸発器３０に接続される。
【００４５】
他方の分岐冷媒管Ｐは、第２の陳列室２Ｒの底部通風路２５に配置する前記蒸発器３０に接続される。それぞれの蒸発器３０から出た冷媒管Ｐは機械室３２内において合流し、１本化して前記アキュームレータ３６に接続される。アキュームレータ３６から前記圧縮機３３底部に接続され、以上で冷凍サイクルＳが構成される。
【００４６】
このようにして構成されるオープンショーケースであり、圧縮機３３を駆動し、外気送風機３７および冷気送風機３１を駆動することにより、圧縮機３３で冷媒が圧縮され高温高圧のガス冷媒として凝縮器３４に導かれる。
【００４７】
外気送風機３７は、ショーケース本体１下部に設けられる通気孔７を介して、外気を機械室Ｍに取込み凝縮器３４へ送風する。前記凝縮器３４においてガス冷媒は、外気送風機３７から送風される外気と熱交換して凝縮液化する。
【００４８】
前記凝縮器３４に導かれた外気は、前記圧縮機３３およびアキュームレータ３６を流通し、これらを冷却した後、対向する面部に設けられる通気孔７を介してショーケース本体１外部へ導出される。
【００４９】
一方、凝縮器３４から導出される液冷媒は、膨張弁３５において断熱膨張し、第１、第２の陳列室１Ｒ，２Ｒ底部である底部通風路２５にそれぞれ配置される蒸発器３０に導かれる。
【００５０】
冷気送風機３１から蒸発器３０へ送風されているので、蒸発器３０において冷媒は送風される空気と熱交換して蒸発する。このとき冷媒は冷気送風機３１により導かれる空気から蒸発潜熱を奪い、低温化させる。蒸発した冷媒はアキュームレータ３６に導かれて気液分離され、ガス分のみ圧縮機３３に導かれて圧縮され、上述の系路を循環する。
【００５１】
前記冷気送風機３１により送風され蒸発器３０を流通して低温化した空気、すなわち冷気は底部通風路２５から導出され、第１のダクト部１１と、第２のダクト部１２の、それぞれ下端開口部から導入されて、各ダクト１１，１２内部を上昇する。
【００５２】
この上昇途中において冷気は、第１の陳列室１Ｒと第２の陳列室２Ｒにおける各段の陳列棚１７相互間に開口する陳列室用吹出し口２０から吹出される。したがって、各陳列室１Ｒ，２Ｒ内が低温に保持され、それぞれの陳列室１Ｒ，２Ｒにおける陳列棚１７上の商品が冷却される。
【００５３】
第１のダクト部１１と第２のダクト部１２の上端部まで到達した冷気は、それぞれのダクト部１１，１２と連通する上部通風路２１に導かれる。そして、上部通風路２１の一端部に形成されるエアカーテン用吹出し口２４から下方へ向けて吹出される。
【００５４】
冷気が第１の陳列室１Ｒと第２の陳列室２Ｒの前面上端部から吹き降ろされて、各陳列室１Ｒ，２Ｒの前面である開放される第１面ａと第３面ｃに沿って流下し、冷気のエアカーテンを形成する。
【００５５】
流下の途中で、冷気は各陳列棚１７の端部と整流板９との間の隙間を導通し、整流板９による冷気の整流がなされる。そしてついには、各陳列室１Ｒ，２Ｒの底部に開口する冷気吸込み口２８から底部通風路２５に沿って導かれ、上述の系路を循環する。
【００５６】
第１の陳列室１Ｒと第２の陳列室２Ｒにおいて、陳列室用吹出し口２０から冷気が吹出されるうえに、エアカーテン用吹出し口２４から冷気が吹出されて各陳列室１Ｒ，２Ｒの前面に冷気のエアカーテンが形成され、各陳列室１Ｒ，２Ｒ内は充分に低温化する。
【００５７】
したがって、陳列棚１７上の商品は確実に冷温保存もしくは冷凍保存される。購買者は、開放された第１の陳列室１Ｒの前面である第１面ａもしくは、第２の陳列室２Ｒの前面である第３面ｃから自由に商品を取出すことができる。
【００５８】
このように、ショーケース本体１内を縦割りで前後２室に区画する仕切り板１０と、この仕切り板１０を挟んで設けられる第１のダクト部１１および第２のダクト部１２を、それぞれ透明部材を用いて構成したから、一方の陳列室１Ｒ／２Ｒ側から他方の陳列室２Ｒ／１Ｒに陳列された商品が見える。
【００５９】
したがって、本発明におけるオープンショーケースは、ボリューム感を持った展示を行うことができ、展示効果が向上する。併せて、在庫数確認等の商品管理上のメリットが得られる。
【００６０】
四面形オープンタイプであるから、実質的に背面側が存在せず、しかも配置面積がコンパクトであるから、店舗における配置場所に拘束されずにすむ。ショーケースとして、閉塞された背面側が存在せず、前後両面に対して商品を陳列し、自由に取出しできるので、現状の前面オープン形ショーケースと比較して、２倍の陳列効率が得られる。
【００６１】
ショーケース本体１内を縦割りで前後２室に区画する仕切り板１０を挟んで、第１の陳列室１Ｒに第１のダクト部１１を設け、第２の陳列室２Ｒに第２のダクト部１２を設けたから、筐体であるショーケース本体１の強度の向上を得られる。
【００６２】
ショーケース本体１下部から鉛直上向きに流れる冷気を、前面側と後面側にムラなく均等に流すことができる。エアカーテンが形成されることで扉の開閉が無いから、商品の頻繁な取出しにあたっても、各陳列室１Ｒ，２Ｒにおいて冷却効率の低下がなく、常に最良の冷却効果を得られる。
【００６３】
仕切り板１０と第１、第２のダクト部１１，１２を断熱材から構成して、第１の陳列室１Ｒと第２の陳列室２Ｒが互いに熱影響を受けないようにした。それぞれの陳列室１Ｒ，２Ｒが断熱性能を持つことにより、前面側と後面側の温度差によって各ダクト部１１，１２表面における結露の発生を防止し、陳列している商品の商品価値の低下を阻止する。
【００６４】
各陳列室１Ｒ，２Ｒの陳列棚１７端部と間隙を存して備えた整流板９は、各陳列室１Ｒ，２Ｒ上端部に形成されるエアカーテン用吹出し口２４から吹出される冷気のエアカーテンを整流する。そのため、商品は勿論のこと、商品を陳列する陳列棚１７での結露の発生を防止する。
【００６５】
図１に示すオープンショーケースとしての外観は、前記整流板９がショーケース本体１の一部を構成しているように見えることとなり、製品としてのオープンショーケース全体の高級感がアップする。
【００６６】
整流板９を透明な合成樹脂材を用いて成形することで、整流板９を介して内部陳列室１Ｒ，２Ｒが見え商品の展示効果がアップする。さらに、整流板９は各陳列棚１Ｒ，２Ｒに取付けられたプライスカードの視認を妨げないし、プライスカードレールを兼ねることで、安価な構造となる。
【００６７】
ショーケース本体１の角部を構成する支柱４の内面に沿って照明灯（蛍光灯）１８が取付けられる。すなわち、各照明灯１８は、第１の陳列室１Ｒと第２の陳列室２Ｒの前面で、かつ左右両側から、各陳列室１Ｒ，２Ｒ内を照明する。しかも、照明灯１８は各陳列室１Ｒ，２Ｒの高さ方向のほぼ全長に亘る長さを有している。
【００６８】
このようにして照明灯１８を備えたうえで、仕切り板１０ばかりでなく、第１、第２のダクト部１１，１２を透明部材から構成した。したがって、照明灯１８は取付けられている陳列室１Ｒ／２Ｒばかりでなく、他方の陳列室２Ｒ／１Ｒまでも充分に照明でき、抜群の照明効果を得られて、商品に対する展示性がより向上する。
【００６９】
上記陳列棚１７を支持するブラケット１５は、断面を逆Ｕ字状にしたので、棚支柱部１４にかかる商品の荷重を分散できる。また、断面角部を曲面（Ｒ状）としたので、筐体であるショーケース本体１の構成に多用される合成樹脂素材と板金との違和感を軽減し、商品性、デザイン性を向上することができる。
【００７０】
図６は、変形例としてのオープンショーケースの概略縦断面図である。  
すなわち、後述する冷凍サイクルＳａを除いて、他の構成部品は全て同一であり、同様の構造を備えているので、同一部品と同一構造については同番号を付して新たな説明は省略する。
【００７１】
冷凍サイクルＳａとして、圧縮機３３と、凝縮器３４とが冷媒管Ｐを介して連通することと、各底部通風路２５における各蒸発器３０の冷媒導出側で分岐冷媒管Ｐが合流し、アキュームレータ３６を介して圧縮機３３に連通することも変りがない。
【００７２】
ここでは、上記凝縮器３４の冷媒導出側に接続される冷媒管Ｐが２本に分岐され、それぞれの分岐冷媒管Ｐに膨張弁３５が接続される。そして、分岐冷媒管Ｐのそれぞれは、各膨張弁３５から各底部通風路２５における蒸発器３０に接続される。
【００７３】
すなわち、流量調整弁である膨張弁３５を、第１の陳列室１Ｒに対応する蒸発器３０と、第２の陳列室２Ｒに対応する蒸発器３０のそれぞれに連通するよう備えたので、各陳列室１Ｒ，２Ｒの温度を異ならす制御が可能となる。
【００７４】
したがって、陳列する商品に適応した温度設定をなし、展示できる。しかも、仕切り板１０が断熱性を備えているので、各陳列室１Ｒ，２Ｒ相互で熱影響を与えずにすみ、結露の発生がない。
【００７５】
なお、本発明は上述した実施の形態そのままに限定されるものではなく、実施段階ではその要旨を逸脱しない範囲で構成要素を変形して具体化できる。そして、上述した実施の形態に開示されている複数の構成要素の適宜な組合せにより種々の発明を形成できる。
【図面の簡単な説明】
【００７６】
【図１】本発明における実施の形態に係る、オープンショーケースの外観斜視図。
【図２】同実施の形態に係る、オープンショーケースの各面の正面図。
【図３】同実施の形態に係る、オープンショーケースの横断平面図。
【図４】同実施の形態に係る、ブラケットの斜視図。
【図５】同実施の形態に係る、オープンショーケースの概略縦断面図。
【図６】同実施の形態の変形例に係る、オープンショーケースの概略縦断面図。
【符号の説明】
【００７７】
１０…仕切り板、１Ｒ…第１の陳列室、２Ｒ…第２の陳列室、１…ショーケース本体、１１…第１のダクト部、１２…第２のダクト部、２１…上部通風路、２５…底部通風路、３１…冷気送風機、１７…陳列棚、９…エアガイド。
【図１】
2010063812.tif 000003
【図２】
2010063812.tif 000004
【図３】
2010063812.tif 000005
【図４】
2010063812.tif 000006
【図５】
2010063812.tif 000007
【図６】
2010063812.tif 000008